【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
可変表示を実行し、遊技者にとって有利な有利状態に制御可能な遊技機において、
遊技制御手段と、
演出制御手段と、
可変表示に対応する特定表示を表示可能な特定表示手段と、を備え、
前記遊技制御手段は、
始動領域に遊技媒体が進入したときに前記有利状態に制御されるか否かを判定し、
前記判定の結果に基づいて、前記有利状態に制御される変動パターンである第１変動パターンと、前記有利状態に制御される変動パターンである第２変動パターンと、前記有利状態に制御されない変動パターンである第３変動パターンと、前記有利状態に制御されない変動パターンである第４変動パターンと、を含む複数の変動パターンのうちいずれかの変動パターンを決定し、
前記第１変動パターンを決定したときに、前記演出制御手段に第１コマンドを送信し、
前記第２変動パターンを決定したときに、前記演出制御手段に第２コマンドを送信し、
前記第３変動パターンを決定したときに、前記演出制御手段に第３コマンドを送信し、
前記第４変動パターンを決定したときに、前記演出制御手段に第４コマンドを送信し、
前記演出制御手段は、
前記第１コマンドを受信した場合に、特殊リーチで前記有利状態に制御されることを報知することが可能であり、
前記第２コマンドを受信した場合に、前記特殊リーチとは前記有利状態に制御される期待度が異なる特別リーチで前記有利状態に制御されることを報知することが可能であり、
前記第３コマンドを受信した場合に、前記特殊リーチで前記有利状態に制御されないことを報知することが可能であり、
前記第４コマンドを受信した場合に、前記特別リーチで前記有利状態に制御されないことを報知することが可能であり、
前記第１コマンドを受信した場合に、前記特殊リーチの実行中に該特殊リーチに対応するタイトル報知を実行することが可能であり、
前記第２コマンドを受信した場合に、前記特別リーチの実行中に該特別リーチに対応するタイトル報知を実行することが可能であり、
前記第３コマンドを受信した場合に、前記特殊リーチの実行中に該特殊リーチに対応するタイトル報知を実行することが可能であり、
前記第４コマンドを受信した場合に、前記特別リーチの実行中に該特別リーチに対応するタイトル報知を実行することが可能であり、
前記第１コマンドを受信した場合に、前記有利状態に制御されるか否かを報知するための決め演出を実行するときに、前記特殊リーチに対応するタイトル報知の実行を終了し、
前記第２コマンドを受信した場合に、前記決め演出を実行するときに、前記特別リーチに対応するタイトル報知の実行を終了し、
前記第３コマンドを受信した場合に、前記決め演出を実行するときに、前記特殊リーチに対応するタイトル報知の実行を終了し、
前記第４コマンドを受信した場合に、前記決め演出を実行するときに、前記特別リーチに対応するタイトル報知の実行を終了し、
前記決め演出に関連する決め演出関連表示として第１態様と該第１態様よりも前記有利状態に制御される期待度が高い第２態様とを含む複数の態様で該決め演出関連表示を表示可能であり、
前記特定表示の表示態様に応じて、前記決め演出関連表示が前記第２態様で表示される割合が異なる、遊技機。
【手続補正２】
【補正対象書類名】明細書
【補正対象項目名】０００２
【補正方法】変更
【補正の内容】
【０００２】
特許文献１に示すように、操作手段が操作されたことに応じて演出を実行する遊技機として、操作手段を操作することを促す操作促進表示を、装飾図柄の変動表示中、停止表示中を問わずに表示するとともに、操作促進表示の表示態様を変化させる遊技機が提案されている。特許文献２に示すように、リーチ演出の開始時に、リーチ演出の種類を報知するタイトル表示を行う遊技機が提案されている。
【手続補正３】
【補正対象書類名】明細書
【補正対象項目名】０００３
【補正方法】変更
【補正の内容】
【０００３】
【特許文献１】特開２０１７−１６４５０４号公報（図９７）
【特許文献２】特開２０１６−１０１４２８号公報
【手続補正４】
【補正対象書類名】明細書
【補正対象項目名】０００４
【補正方法】変更
【補正の内容】
【０００４】
特許文献１および特許文献２の双方の機能や構成を有する遊技機において商品性を高める余地があった。
【手続補正５】
【補正対象書類名】明細書
【補正対象項目名】０００５
【補正方法】変更
【補正の内容】
【０００５】
この発明は、上記の実状に鑑みてなされたものであり、商品性を高めた遊技機を提供することにある。
【手続補正６】
【補正対象書類名】明細書
【補正対象項目名】０００６
【補正方法】変更
【補正の内容】
【０００６】
手段Ｙ１の遊技機は、
可変表示を実行し、遊技者にとって有利な有利状態に制御可能な遊技機において、
遊技制御手段と、
演出制御手段と、
可変表示に対応する特定表示を表示可能な特定表示手段と、を備え、
前記遊技制御手段は、
始動領域に遊技媒体が進入したときに前記有利状態に制御されるか否かを判定し、
前記判定の結果に基づいて、前記有利状態に制御される変動パターンである第１変動パターンと、前記有利状態に制御される変動パターンである第２変動パターンと、前記有利状態に制御されない変動パターンである第３変動パターンと、前記有利状態に制御されない変動パターンである第４変動パターンと、を含む複数の変動パターンのうちいずれかの変動パターンを決定し、
前記第１変動パターンを決定したときに、前記演出制御手段に第１コマンドを送信し、
前記第２変動パターンを決定したときに、前記演出制御手段に第２コマンドを送信し、
前記第３変動パターンを決定したときに、前記演出制御手段に第３コマンドを送信し、
前記第４変動パターンを決定したときに、前記演出制御手段に第４コマンドを送信し、
前記演出制御手段は、
前記第１コマンドを受信した場合に、特殊リーチで前記有利状態に制御されることを報知することが可能であり、
前記第２コマンドを受信した場合に、前記特殊リーチとは前記有利状態に制御される期待度が異なる特別リーチで前記有利状態に制御されることを報知することが可能であり、
前記第３コマンドを受信した場合に、前記特殊リーチで前記有利状態に制御されないことを報知することが可能であり、
前記第４コマンドを受信した場合に、前記特別リーチで前記有利状態に制御されないことを報知することが可能であり、
前記第１コマンドを受信した場合に、前記特殊リーチの実行中に該特殊リーチに対応するタイトル報知を実行することが可能であり、
前記第２コマンドを受信した場合に、前記特別リーチの実行中に該特別リーチに対応するタイトル報知を実行することが可能であり、
前記第３コマンドを受信した場合に、前記特殊リーチの実行中に該特殊リーチに対応するタイトル報知を実行することが可能であり、
前記第４コマンドを受信した場合に、前記特別リーチの実行中に該特別リーチに対応するタイトル報知を実行することが可能であり、
前記第１コマンドを受信した場合に、前記有利状態に制御されるか否かを報知するための決め演出を実行するときに、前記特殊リーチに対応するタイトル報知の実行を終了し、
前記第２コマンドを受信した場合に、前記決め演出を実行するときに、前記特別リーチに対応するタイトル報知の実行を終了し、
前記第３コマンドを受信した場合に、前記決め演出を実行するときに、前記特殊リーチに対応するタイトル報知の実行を終了し、
前記第４コマンドを受信した場合に、前記決め演出を実行するときに、前記特別リーチに対応するタイトル報知の実行を終了し、
前記決め演出に関連する決め演出関連表示として第１態様と該第１態様よりも前記有利状態に制御される期待度が高い第２態様とを含む複数の態様で該決め演出関連表示を表示可能であり、
前記特定表示の表示態様に応じて、前記決め演出関連表示が前記第２態様で表示される割合が異なる。